(57)【要約】【課題】  電気を使用することなく、且つ、構造が簡単なダイヤフラムポンプを得ること。【解決手段】  ポンプケーシング１の吸引口５に逆止弁７を介して輸送流体供給管６を接続し、吐出口８に同様に逆止弁１１を介して輸送流体吐出管１０を接続する。吸引口５と吐出口８の間に給排室９を形成してダイヤフラム２を配置する。ダイヤフラム２の下部に駆動流体通過阻止弁３を取り付ける。ダイヤフラム２の下方に、吸引室１５を形成すると共に、エゼクタ４を配置する。  エゼクタ４へ駆動流体を供給することによって吸引力を発生して、ダイヤフラム２を下方へ変位させ、給排室９へ輸送流体を吸引し、更にダイヤフラム２が下方へ変位して駆動流体通過阻止弁３がディフューザ１４の入口部を閉止して給排室９の輸送流体を吐出する。【選択図】 図１
2008150994.tif 000002
【特許請求の範囲】
【請求項１】
ポンプケーシング内にダイヤフラムを配置して、当該ポンプケーシングとダイヤフラムの一面側とで輸送流体の給排室を形成し、ダイヤフラムの往復運動によって輸送流体を給排室へ給排するものにおいて、ダイヤフラムの他面側をエゼクタの吸引室と連通し、エゼクタを通過する駆動流体の通過を阻止する駆動流体通過阻止弁をダイヤフラムに取り付けて、ダイヤフラムの往復運動に伴う変位に応じて当該駆動流体通過阻止弁がエゼクタ内の駆動流体の通過を阻止することにより、エゼクタの吸引室で吸引力を生じなくなることを特徴とするダイヤフラムポンプ。
【発明の詳細な説明】
【技術分野】
【０００１】
本発明は、ダイヤフラムの往復運動によって輸送流体を給排室へ吸引し、更に、給排室から吐出するダイヤフラムポンプに関する。
【背景技術】
【０００２】
従来のダイヤフラムポンプは、ダイヤフラムに連結部材やローラや回転駆動軸などを介在して電動モータと接続したもので、電動モータの回転によってダイヤフラムを往復駆動させ、輸送流体を給排室へ吸引し、更に、給排室から吐出することができるものである。
【０００３】
上記従来のダイヤフラムポンプでは、連結部材や回転駆動軸、あるいは、電動モータなどを必要とするために、ダイヤフラムポンプとしての構造が複雑化してしまう問題があった。また、上記従来のダイヤフラムポンプでは、電動モータ、すなわち、電気を使用するために、爆発性雰囲気の箇所では使用が制限されてしまう問題があった。
【特許文献１】特開２００５−２９１０１０号公報
【発明の開示】
【発明が解決しようとする課題】
【０００４】
解決しようとする課題は、電気を使用することなく、且つ、構造が簡単なダイヤフラムポンプを得ることである。
【課題を解決するための手段】
【０００５】
本発明は、ポンプケーシング内にダイヤフラムを配置して、当該ポンプケーシングとダイヤフラムの一面側とで輸送流体の給排室を形成し、ダイヤフラムの往復運動によって輸送流体を給排室へ給排するものにおいて、ダイヤフラムの他面側をエゼクタの吸引室と連通し、エゼクタを通過する駆動流体の通過を阻止する駆動流体通過阻止弁をダイヤフラムに取り付けて、ダイヤフラムの往復運動に伴う変位に応じて当該駆動流体通過阻止弁がエゼクタ内の駆動流体の通過を阻止することにより、エゼクタの吸引室で吸引力を生じなくなるものである。
【発明の効果】
【０００６】
本発明は、ダイヤフラムの他面側をエゼクタの吸引室と連通すると共に、ダイヤフラムに駆動流体通過阻止弁を取り付けたことによって、エゼクタ内を駆動流体が通過して吸引室で吸引力が発生し、この吸引力でダイヤフラムを変位させ輸送流体を給排室へ吸引すると共に、ダイヤフラムの変位に応じて駆動流体通過阻止弁が駆動流体の通過を阻止してエゼクタでの吸引力が生じなくなることで、輸送流体を給排室から吐出することができる。
【発明を実施するための最良の形態】
【０００７】
本発明は、ダイヤフラムの他面側をエゼクタの吸引室と連通するものであるが、エゼクタとしては、吸引室の内部に配置したノズルとディフューザとで構成するものが好適である。
【実施例】
【０００８】
図１において、ポンプケーシング１と、ダイヤフラム２と、ダイヤフラム２の中央部に取り付けた駆動流体通過阻止弁３、及び、エゼクタ４とでダイヤフラムポンプを構成する。
【０００９】
ポンプケーシング１の吸引口５を輸送流体供給管６と接続する。輸送流体供給管６には、輸送流体供給管６から吸引口５側への流体の通過のみを許容し、反対方向への流体の通過を阻止する逆止弁７を介在する。
【００１０】
ポンプケーシング１の他端側に吐出口８を設けて、吐出口８と吸引口５の間に給排室９を形成する。給排室９は、ダイヤフラム２の上面側と、ポンプケーシング９の内周面側とで構成する。吐出口８には、輸送流体吐出管１０を接続する。この輸送流体吐出管１０にも逆止弁１１を取り付ける。逆止弁１１は、吐出口８から輸送流体吐出管１０側への流体の通過のみを許容し、反対方向への流体の通過を阻止するものである。
【００１１】
ダイヤフラム２は薄板円板状で、ステンレス製薄板、あるいは、補強材を組み込んだ合成樹脂や合成ゴムで形成する。ダイヤフラム２の中央部に円板状の補強板１２をダイヤフラム２と一体に取り付ける。補強板１２の下端に、長方形状の駆動流体通過阻止弁３を溶接で固着する。
【００１２】
エゼクタ４は、ノズル１３とディフューザ１４、及び、その外周に形成した吸引室１５とで構成する。ノズル１３の左端部に駆動流体供給管１６を、ディフューザ１４の右端部に駆動流体吐出管１７をそれぞれ接続する。ノズル１３からディフューザ１４へと駆動流体が高速で流下して吸引室１５を吸引するものであり、吸引によりダイヤフラム２が下方へ変位することによって、駆動流体通過阻止弁３がディフューザ１４入口部を閉止して、ディフューザ１４への流体の通過を阻止すると共に、吸引室１５へ駆動流体が流入してダイヤフラム２を上方へ変位させることができるものである。
【００１３】
ダイヤフラムポンプとしては以下のとおりに作用する。まず、駆動流体供給管１６からエゼクタ４に駆動流体を供給すると、吸引力を発生して吸引室１５を吸引することによりダイヤフラム２が下方へ変位して、輸送流体供給管６と逆止弁７を通して輸送流体を給排室９へ吸引する。
【００１４】
更にダイヤフラム２が下方へ変位して、駆動流体通過阻止弁３がディフューザ１４の入口部を閉止すると、駆動流体供給管１６からの駆動流体は吸引室１５内へ流入することによって、ダイヤフラム２を上方へ変位させ、給排室９内に溜まっていた輸送流体を逆止弁１１と輸送流体吐出管１０をとおして所定箇所へ吐出する。
【００１５】
本実施例においては、駆動流体が吸引室１５へ流入して、その流体圧力によってダイヤフラム２を上方へ変位させる例を示したが、その他に、ダイヤフラム２の下面に圧縮状態のコイルバネを配置することによって、コイルバネのバネ力でダイヤフラム２を上方へ変位させることもできる。
【図面の簡単な説明】
【００１６】
【図１】本発明に係るダイヤフラムポンプの実施例を示す一部断面構成図。
【符号の説明】
【００１７】
１  ポンプケーシング
２  ダイヤフラム
３  駆動流体通過阻止弁
４  エゼクタ
５  吸引口
６  輸送流体供給管
７  逆止弁
８  吐出口
９  給排室
１０  輸送流体吐出管
１１  逆止弁
１３  ノズル
１４  ディフューザ
１５  吸引室
１６  駆動流体供給管
１７  駆動流体吐出管
【図１】
2008150994.tif 000003